(57)【特許請求の範囲】
【請求項１】
針管の基端部を構成するハブがシリンジの前端部に取り付けられることで採血器具が構成され、前記針管を覆うことができるプロテクタが前記ハブに連結されて備えられた採血器具の針先封止装置であって、
前記プロテクタは、一端部が前記ハブに連結されて支持された第１部材と、前記第１部材の他端部側に当該第１部材に対してスライド可能に支持されることでプロテクタ全体の長さ方向の寸法が伸長状態と縮小状態とに変化できる第２部材より構成され、
前記第１部材の内周面には一対の溝部が形成され、前記第２部材の外周面には一対の凸状部が形成され、第２部材に形成された前記一対の凸状部が、第１部材の内周面に形成された一対の溝部に沿って収容されると共に、
前記第２部材内には、前記伸長状態から縮小状態に変化する過程で、前記針管の先端部が突き刺されて当該先端部を封止する封止部材が配置されると共に、前記第２部材の先端部には、可撓性の素材による滑り止め部材が配置されていることを特徴とする採血器具の針先封止装置。
【請求項２】
前記第２部材内に配置される封止部材と、第２部材の先端部に配置される滑り止め部材とが同一の素材により一体に形成されていることを特徴とする請求項１に記載された採血器具の針先封止装置。
【請求項３】
前記滑り止め部材は、前記第２部材の先端部から突出した状態に形成されていることを特徴とする請求項２に記載された採血器具の針先封止装置。
【請求項４】
前記プロテクタを構成する第１部材は前記ハブに対して回動可能に連結され、前記プロテクタの伸長状態において、前記針管の長さ方向の全体が前記プロテクタ内に収容することができるスリットを、前記第１部材および第２部材にそれぞれ形成したことを特徴とする請求項１ないし請求項３のいずれか１項に記載された採血器具の針先封止装置。
【請求項５】
前記針管を覆った状態のプロテクタが、前記針管から離脱するのを阻止する係合片を、少なくとも前記第１部材もしくは第２部材のいずれかに備えたことを特徴とする請求項１ないし請求項４のいずれか１項に記載された採血器具の針先封止装置。
【発明の詳細な説明】
【技術分野】
【０００１】
この発明は、採血後における針先の封止操作を迅速に、安全かつ容易になし得る採血器具の針先封止装置に関する。
【背景技術】
【０００２】
医療現場においては血中のガス分圧やｐＨなどを分析測定するために動脈血などを採血することが行われており、これに用いられる採血器具としては、周知のとおりシリンジ（外筒）の先端に注射針（針管）を装着させたものが用いられる。そして、前記シリンジ内に摺動可能に装着されたプランジャを引く操作により、シリンジとプランジャとに囲まれた空間内に採血をすることができる。
【０００３】
ところで、採血された血液に大気中の酸素や二酸化炭素等の成分が混入すると、血中のガス分圧や、ｐＨなどを正確に分析測定することが困難になる。このために従来においては、採血後は封止部材を収納した筒状のキャップを、速やかに針管に被せて前記針先を封止部材に突き刺すことにより針管の先端部を封止し、採血した血液と大気との接触を防止させる工夫がなされている。
【０００４】
したがって、前記したように採血後に針管にキャップを被せる場合には、前記キャップの一端部における小径な開口に、針先を挿入する操作が伴われる。このために、その作業に際して若干の手元の狂いによって針先に残留する血液が作業者の手など付着することがあり、針先で作業者の指を刺したりしないような細心な注意を払わなければならない。
【０００５】
前記したような課題を解消するために、前記針管を支える基端部を構成するハブに連結部材を取り付け、この連結部材を介してプロテクタを取り付けてなる採血器具が、次に示す先行技術文献に開示されている。この先行技術文献に開示された採血器具によると、プロテクタの先端部に有底筒状の収容部が摺動可能に取り付けられ、この収容部内には封止部材が収容された構成になされている。
【０００６】
この構成によると、採血後に連結部材を介して取り付けられているプロテクタを針管に被せ、続いて有底筒状の前記収容部を針先に向かって押し込むことで、針先が封止部材に突き刺されて封止されるようになされる。
【先行技術文献】
【特許文献】
【０００７】
【特許文献１】特開２００７−２９６３７６号公報
【発明の概要】
【発明が解決しようとする課題】
【０００８】
ところで、前記した採血器具によると、採血後に針先を封止するに際してプロテクタの先端部に取り付けられた有底筒状の収容部を針先に向かって指先などで押し込む操作が必要である。指先などで前記収容部の押し込み操作を実行するには多少の力を要し、しかも指先に力を込めているために、わずかな手元の狂いにより誤って前記針先で指先を刺すなどの事故が発生し得る。
【０００９】
このような事故の発生を防ぐには、有底筒状の前記収容部の先端を机上等の水平面に押し付けることで、収容部内の前記封止部材に針先を突き刺すことができ、これにより針先を封止させることができる。しかしながら、前記先行技術文献に開示された採血器具においては、前記した机上の水平面等を利用するようにした針先の封止操作を前提とする配慮はなされておらず、有底筒状の前記収容部の先端部が机上の水平面上を滑って、思わぬ怪我を負う等の問題を抱えている。
【００１０】
この発明は、前記した従来の採血器具が抱える問題点を解消するためになされたものであり、机上等の水平面等を利用して針先の封止を行う場合において、安全かつ容易に針先の封止作業を実行することができる採血器具の針先封止装置を提供することを課題とするものである。
【課題を解決するための手段】
【００１１】
前記した課題を解決するためになされたこの発明にかかる採血器具の針先封止装置は、針管の基端部を構成するハブがシリンジの前端部に取り付けられることで採血器具が構成され、前記針管を覆うことができるプロテクタが前記ハブに連結されて備えられた採血器具の針先封止装置であって、前記プロテクタは、一端部が前記ハブに連結されて支持された第１部材と、前記第１部材の他端部側に当該第１部材に対してスライド可能に支持されることでプロテクタ全体の長さ方向の寸法が伸長状態と縮小状態とに変化できる第２部材より構成され、前記第１部材の内周面には一対の溝部が形成され、前記第２部材の外周面には一対の凸状部が形成され、第２部材に形成された前記一対の凸状部が、第１部材の内周面に形成された一対の溝部に沿って収容されると共に、前記第２部材内には、前記伸長状態から縮小状態に変化する過程で、前記針管の先端部が突き刺されて当該先端部を封止する封止部材が配置されると共に、前記第２部材の先端部には、可撓性の素材による滑り止め部材が配置されていることを特徴とする。
【００１２】
この場合、望ましくは前記第２部材内に配置される封止部材と、第２部材の先端部に配置される滑り止め部材とは同一の素材により一体に形成されたものが用いられる。また好ましくは、前記滑り止め部材は、前記第２部材の先端部から突出した状態に形成される。
【００１３】
一方、前記プロテクタを構成する第１部材は前記ハブに対して回動可能に連結され、前記プロテクタの伸長状態において、前記針管の長さ方向の全体が前記プロテクタ内に収容することができるスリットを、前記第１部材および第２部材にそれぞれ形成した構成にされる。
【００１４】
さらに、前記針管を覆った状態のプロテクタが、前記針管から離脱するのを阻止する係合片を、少なくとも前記第１部材もしくは第２部材のいずれかに備えられていることが望ましい。
【発明の効果】
【００１５】
前記した採血器具の針先封止装置によると、採血後における針管はハブに連結された第１部材と、この第１部材にスライド可能に支持された第２部材からなるプロテクタによって覆うことができる。そして、前記プロテクタの長さ方向の寸法を伸長状態から縮小状態に変化させる過程で、第２部材内に配置された封止部材によって針管の先端部を封止することができる。
【００１６】
この場合、前記第２部材の先端部には、可撓性の素材による滑り止め部材が配置されているので、前記滑り止め部材を例えば机上等の平面部に当接させつつ採血器具およびプロテクタを垂直に立てた状態で押し込むことで、前記プロテクタの長さ方向の寸法を伸長状態から縮小状態に変化させることができる。これにより、採血後における針先の封止操作を迅速に、安全かつ容易に実行することができる。
【００１７】
また、前記プロテクタを構成する前記第１部材もしくは第２部材には、プロテクタの伸長状態において、針管の長さ方向の全体を前記プロテクタ内に収容することができるスリットが形成されているので、前記ハブに取り付けられたプロテクタを回動操作することで、容易に針管をプロテクタによって覆うことができる。
【００１８】
そして、前記スリットを介して針管を覆った状態のプロテクタには、前記針管から離脱するのを阻止する係合片を備えた構成にされているので、前記滑り止め部材を机上等の平面部に当接させつつ行う針先の封止の操作性を向上させることができると共に、操作の安全性をより高めることに寄与できる。
【図面の簡単な説明】
【００１９】
【図１】この発明に係る針先封止装置に用いられるプロテクタの構成を分解状態で示した断面図である。
【図２】図１に示すプロテクタを構成する第１部材の上面図である。
【図３】プロテクタを採血器具に取り付けた状態を示す一部断面図である。
【図４】図３におけるａ−ａ線より矢印方向に視た状態の拡大断面図である。
【図５】針先の封止操作を行う状況を示した一部断面図である。
【図６】針先の封止操作を行う状況を示した外観図である。
【発明を実施するための形態】
【００２０】
以下、この発明にかかる採血器具の針先封止装置について、図に示す実施の形態に基づいて説明する。この発明にかかる針先封止装置には、図１に分解状態で示したプロテクタが用いられる。すなわち、前記プロテクタＰは、合成樹脂により円筒状に成形された第１部材１、同じく合成樹脂により円筒状に成形された第２部材２、およびシリコーン、ＮＲ、ＩＲ、ＳＢＲ、ＮＢＲ、ＩＩＲ、ＥＰＤＭなどのゴムやスチレン系、オレフィン系、ウレタン系、ポリウレタン系などの各種エラストマー等の可撓性素材により成形された滑り止め部材を兼ねる封止部材３より構成されている。
【００２１】
プロテクタＰを構成する前記第１部材１は、前記したとおり円筒状に成形されることでその中央が中空部１ａになされ、第１部材１の基端部（一端部）側に支承部１ｂが延長されて形成されている。この支承部１ｂのさらに基端部側には、図２に第１部材１を上面図で示したように、支承部１ｂの長手方向に直交する方向に一対の支軸１ｃが、両外側に突出した状態で形成されている。
【００２２】
また、前記支承部１ｂが延長形成された円筒面に対向する位置には、スリット１ｄが第１部材１の長手方向の全体にわたって形成されている。さらに、前記スリット１ｄを中央にした前記第１部材１の内周面の対向位置には、一対の溝部１ｅが先端部（他端部）から前記基端部（一端部）の近くまで達するように形成されている。
【００２３】
一方、前記第２部材２は、前記したとおり円筒状に成形されることで、その中央が中空部２ａになされており、その外周面が前記第１部材１の中空部１ａ内に接して軸方向にスライド可能になされるように成形されている。そして、第２部材２の外周面の対向する位置には一対の凸状部２ｂが、基端部（一端部）から先端部（他端部）の近傍まで達するように形成されている。
【００２４】
すなわち、この第２部材２が前記第１部材１の中空部１ａ内にスライド可能に支持された場合に、第２部材２に形成された前記一対の凸状部２ｂが、第１部材１の内周面に形成された一対の溝部１ｅに沿って収容されるように構成される。これにより、第１部材１に対して第２部材２は、軸方向にスライド可能で回転方向には規制され、プロテクタＰの全体の長さ方向の寸法が伸長状態と縮小状態とに変化できるように成される。
【００２５】
加えて、前記第２部材２には、基端部から先端部の近くまで達するようにスリット２ｃが形成されており、この第２部材２を前記第１部材１に対してスライド可能に装着した場合において、前記第１部材１に形成されたスリット１ｄの形成位置と、この第２部材２に形成されたスリット２ｃの形成位置とが一致するようになされている。
【００２６】
さらに、前記第２部材２における前記スリット２ｃの形成位置には、中空部２ａの中央に突出するようにして可撓性の係合片２ｄが、第２部材２と一体に成形されている。なお、この係合片２ｄの作用については、後で説明する。
【００２７】
前記滑り止め部材を兼ねる封止部材３は、柱状部３ａとこれに一体に形成された半球状になされた滑り止め部材３ｂより構成されている。この封止部材３における前記柱状部３ａは、前記第２部材２における先端部側の中空部２ａ内に圧入されることで第２部材２に取り付けられ、半球状になされた前記滑り止め部材３ｂは、第２部材の先端部に突出された状態になされる。
【００２８】
図３は図１および図２に示した前記第１部材１、第２部材２、滑り止め部材を兼ねる封止部材３を組み立ててプロテクタＰを形成し、採血器具に取り付けた状態をプロテクタＰの一部を断面図で示したものである。
【００２９】
前記採血器具は周知のとおり、シリンジ（外筒）５の前端部に形成された縮径部５ａに、針管（注射針）６の基端部を構成するハブ６ａが取り付けられた構成にされている。そして、前記シリンジ５内に摺動可能に装着された図示せぬプランジャを引く操作により、シリンジ５とプランジャとに囲まれた空間内に採血をすることができる。
【００３０】
前記した採血器具におけるハブ６ａには、このハブ６ａを囲繞するようにして連結部材７が取り付けられ、当該連結部材７に形成された一対の係合孔７ａに、前記第１部材１に形成された一対の支軸１ｃが回動可能に嵌め込まれることで、プロテクタＰが採血器具に対して回動可能に連結される。
【００３１】
斯くして、前記プロテクタＰは、図３に示されたように一端部が前記ハブ６ａに連結されて回動可能に支持された第１部材１と、前記第１部材の他端部側にスライド可能に支持されることでプロテクタ全体の長さ方向の寸法が伸長状態と縮小状態とに変化できる第２部材２より構成され、前記第２部材２内には封止部材３が配置されると共に、前記第２部材２の先端部には、可撓性の素材による滑り止め部材３ｂが配置された構成にされる。
【００３２】
この構成において、プロテクタ全体の長さ方向の寸法が伸長状態になされた場合に、前記第１部材１と前記第２部材２とが機械的にロックされると共に、前記長さ方向の寸法が縮小状態になされた場合に、前記第１部材１と第２部材２とが機械的にロックされる図示せぬロック機構が形成されていることが望ましい。このロック機構の簡単な構成としては、前記第１部材１と第２部材２との間に、図示せぬたとえば凹凸部を対峙するようにそれぞれ形成することで実現させることができる。
【００３３】
図３に示したように採血器具にプロテクタＰを装着させた状態で採血を行う場合においては、前記プロテクタＰを採血器具側に倒した状態に成される。そして採血後においては、前記プロテクタＰを針管（注射針）６側に、すなわち矢印ｂに示すように回動させる。この場合、前記プロテクタＰは長さ方向の寸法が伸長状態になされた状態で回動操作が行われる。
【００３４】
これにより、プロテクタＰを構成する前記第１部材１および第２部材２にそれぞれ形成されたスリット１ｄ，２ｃを介して針管６は、図３に実線で示したようにプロテクタＰによって覆われる。
【００３５】
図４は、その状態を針管６の長手方向に直交する断面図で示している。図４に示したように、前記針管６がプロテクタＰによって覆われる瞬間に、前記第２部材２に形成された可撓性の係合片２ｄが針管６に押されて変形し、前記針管６をスリット２ｃの内側に位置させるように作用する。これにより、針管６は係合片２ｄの反対面に当接して、前記係合片２ｄは針管６に係止する。それ故、プロテクタＰが針管６を覆った状態に保持され、プロテクタＰが元の状態に戻るのが阻止される。
【００３６】
図５は、前記針管６をプロテクタＰによって覆った後に、前記針管６の先端部を封止させる場合の操作例を示したものである。これには、たとえば机上等の平面部８が利用される。すなわち、図５（Ａ）に示すように前記プロテクタＰを下向きにしてプロテクタＰの先端部に配置されたゴム製の滑り止め部材３ｂを前記平面部８に当接し、そのままの姿勢で採血器具および前記第１部材１を矢印ｃ方向に押し込む。
【００３７】
この操作により、プロテクタＰの先端部側の第２部材２が、第１部材１側にスライドして入り込み、プロテクタＰの長さ方向の寸法は、図５（Ｂ）に示すように伸長状態から縮小状態に成される。この時、前記針管６の先端部は、前記第２部材２内に配置されたゴム製の封止部材３に突き刺され封止され、これにより採血した血液と大気との接触が防止されるように成される。
【００３８】
前記した針管６の封止操作にあたっては、針管６はプロテクタＰによって覆われ、図４に基づいて説明したとおり、第２部材２に一体に形成された係合片２ｄが針管６に係合しているので、プロテクタＰが外れて針管６が露出するという危険な状態になるのを確実に防止できる。
【００３９】
また、プロテクタＰの先端部には、たとえばゴム素材により半球状に成形された滑り止め部材３ｂが取り付けられているので、プロテクタＰを平面部８に対して必ずしも垂直に当てる必要はなく、その角度が若干ずれても正常な押し込み操作を行うことができる。これにより、採血後における針先の封止操作を迅速に、安全かつ容易に実行することができる。なお、前記滑り止め部材３ｂには、図示していないが半球状の表面に多数の溝もしくは凹凸を形成することが望ましく、これにより滑り止め効果を一層向上させることができる。
【００４０】
図６は、前記したようにプロテクタＰの長さ方向の寸法が、伸長状態から縮小状態に成される場合のプロテクタＰの外観の変化を示したものであり、この場合において前記針管６の先端部は、前記第２部材２内に配置されたゴム製の封止部材３によって封止されることは、図５において説明したとおりである。
【００４１】
加えて、この図６に示す例においては、第１部材１の先端部側（前半部）には、Ｘで示す例えば着色層が施されている。また第２部材２の基端部側は、Ｙで示すように無着色部分、すなわち合成樹脂素材が露出された状態になされ、第２部材２の先端部側（前半部）には、Ｚで示す例えば着色層が施されている。
【００４２】
すなわち、前記プロテクタＰが伸長状態になされている場合には、図６（Ａ）に示すように前記第１部材１側の着色層Ｘと、第２部材２側の着色層Ｚとの間に、第２部材２の無着色部分Ｙを見ることができる。また、前記プロテクタＰが縮小状態になされ、前記第２部材２内に配置されたゴム製の封止部材３によって前記針管６の先端部が封止された場合には、図６（Ｂ）に示すように前記第１部材１側の着色層Ｘと、第２部材２側の着色層Ｚとの間に、無着色部分Ｙを見ることができない。
【００４３】
この場合、前記Ｘで示す着色層とＺで示す着色層を同一色にすることで、無着色部分Ｙが存在するか否かをより鮮明に見分けることを期待することができるが、たとえばＸとＺ部分は無着色にして、Ｙ部分を着色層にしてもよく、前記Ｘ，Ｙ，Ｚの領域における着色および無着色の選択、また色の選択は任意である。
【００４４】
前記した実施の形態によれば、プロテクタＰの先端部側に可撓性の素材による滑り止め部材が配置されているので、前記滑り止め部材を例えば机上等の平面部に当接させつつプロテクタを伸長状態から縮小状態に押し込むことで、採血後における針先の封止操作を迅速に、安全かつ容易に実行することができるなど、前記した発明の効果の欄に記載したとおりの独自の作用効果を得ることができる。
【００４５】
なお、以上説明した実施の形態においては、プロテクタＰを構成する第１部材１および第２部材２は、共に円筒状に形成されているが、これらは、たとえば四角や三角などの角筒状に形成されたものも採用し得る。また、前記プロテクタＰにはゴム素材等により一体に成形された滑り止め部材を兼ねる封止部材３が用いられているが、これらは個別に成形してそれぞれプロテクタＰに配置するようにしてもよい。
【００４６】
さらに、前記滑り止め部材３ｂはその突出部が半球状に形成されたものを用いているが、これに限らず、他の任意の構成を採用することができる。さらにまた、前記した実施の形態においては、プロテクタＰを構成する第２部材２に、針管６に係止する係合片２ｄを形成した構成になされているが、これは第１部材１側に形成させてもよい。
【符号の説明】
【００４７】
１    第１部材
１ａ  中空部
１ｂ  支承部
１ｃ  支軸
１ｄ  スリット
２    第２部材
２ａ  中空部
２ｃ  スリット
２ｄ  係合片
３    封止部材
３ａ  柱状部
３ｂ  滑り止め部材
５    シリンジ（外筒）
６    針管（注射針）
６ａ  ハブ
７    連結部材
７ａ  係合孔
Ｐ    プロテクタ
【図１】
0005615158.tif 000002
【図２】
0005615158.tif 000003
【図３】
0005615158.tif 000004
【図４】
0005615158.tif 000005
【図５】
0005615158.tif 000006
【図６】
0005615158.tif 000007